(57)【要約】【課題】  外壁パネルの外面の外装材が隣接する外壁パネルの外面の外装材と上下方向にずれが生じるような場合に簡単にずれの調整ができる。【解決手段】  外壁パネルをパネル本体１と、パネル本体１の外面側に取付けられる外装パネル２とで構成する。パネル本体１の外面に受け桟３を設ける。受け桟３に外装パネル２の背面に設けた下地桟４を左右方向にはスライドできないが上下方向にスライド可能に嵌め込む。下地桟４を受け桟３に対して上下方向の任意のスライド位置で固着具５により固着する。【選択図】        図１
2007009652.tif 000002
【特許請求の範囲】
【請求項１】
パネル本体と、パネル本体の外面側に取付けられる外装パネルとで構成され、パネル本体の外面に受け桟を設け、該受け桟に外装パネルの背面に設けた下地桟を左右方向にはスライドできないが上下方向にスライド可能に嵌め込み、下地桟を受け桟に対して上下方向の任意のスライド位置で固着具により固着して成ることを特徴とする外壁パネルの構造。
【請求項２】
受け桟に抜け止め用係合部を設けると共に下地桟に抜け止め用被係合部を設け、抜け止め用係合部を抜け止め用被係合部に係合して下地桟を受け桟に嵌め込んだ状態で外装パネルがパネル本体の面外方向に抜け出るのを防止する抜け防止手段を構成して成ることを特徴とする請求項１記載の外壁パネルの構造。
【発明の詳細な説明】
【技術分野】
【０００１】
本発明は、外面に柄模様を設けた外壁パネルを建て込んだ際に隣の外壁パネルの外面の柄模様と揃えることができる機能を有した外壁パネルの構造に関するものである。
【背景技術】
【０００２】
従来から外壁パネルの外面に柄模様を形成したものが知られている。複数の外壁パネルを横に並べて建て込んだ場合、隣接する壁パネルの柄模様が上下方向にずれ、例えば、横目地が横方向に一直線に揃わない場合があって、外観が見苦しくなるという問題があった。
【０００３】
特に、外壁パネルとしては、水平力を負担しない普通の非耐力外壁パネルと、水平力を負担する耐力外壁パネルとがあるが、非耐力外壁パネルの隣に耐力外壁パネルを並べて立て込んだ場合、隣接する壁パネルの横目地が上下方向にずれて横方向に一直線に揃わない事態が発生しやすい。
【０００４】
通常、非耐力外壁パネルとしては、特許文献１に示されるようなものが知られている。この非耐力外壁パネルは下端部に凹溝部を形成すると共に上端部に連結金具を取付けたもので、この非耐力外壁パネルの建て込みに当たっては、まず、基礎上に土台金物を載置して土台金物の水平出しを行い、次に、水平となった土台金物上に非耐力外壁パネルを立設し、該非耐力外壁パネルの上端部を梁に連結金具を用いて取付けていた。つまり、非耐力外壁パネルを上面が不陸となった基礎の上面に直接載設するのではなく、基礎に水平となるように土台金物を載設し、この水平となった土台金物を基準にして非耐力外壁パネルを建て込むことで建て込み作業が容易に行えるようにしながら、同時に水平な土台金物を基準として立設された隣接する非耐力外壁パネル同士の外面の横目地が上下方向にずれることなく横に一直線に揃わせることができるようにしている。
【０００５】
一方、耐力外壁パネルとしては、特許文献２に示されるようなものが知られている。この特許文献２に示されるような耐力外壁パネルは下端部両側に脚部を設けると共に上端部両側に連結部を設けたもので、梁を基準として建て込むようになっている。つまり、耐力外壁パネルの下端部の脚部に設けた孔に基礎から突設したアンカーボルトを挿入した状態で耐力外壁パネルを上方に持ち上げて耐力外壁パネルの上端部の連結部を梁の下面に当接してボルトにより連結し、その後、基礎の上面と耐力外壁パネルの脚部の下面との間の隙間にスペーサを差し込み、アンカーボルトにナットを螺合して基礎に耐力外壁パネルの脚部を連結するようにしている。
【０００６】
耐力外壁パネルを上記のように梁を基準として建て込むのは、耐力外壁パネルは上端部の連結部を梁に、下端部の左右の脚部を基礎に植設したアンカーボルトに直接連結する必要があり、仮に、基礎の上面を基準として耐力外壁パネルを建て込むとすると、基礎の上面は不陸状態となっており、耐力外壁パネルの下端部の左右の脚部の立設レベルが異なり、傾いて建て込まれるおそれがあるが、上記のように梁を基準にして建て込むと、梁の長手方向の各部はレベルが一定であるため、傾くことなく簡単に取付けることができるので、上記のように水平な梁を基準として建て込むのである。
【０００７】
上記のように非耐力外壁パネルは土台金物を建て込みの基準とし、耐力外壁パネルは梁を建て込みの基準としているので、非耐力外壁パネルと耐力外壁パネルとを隣りあって建て込む場合、非耐力外壁パネルに設けた外装材と耐力外壁パネルに設けた外装材とが上下にずれて施工されるおそれがあり、特に、外装材の柄模様に横目地がある場合、非耐力外壁パネルの外装材の横目地と耐力外壁パネルの外装材の横目地とが上下にずれ、外観が悪くなるという問題がある。
【特許文献１】実開平５−２８８０９号公報
【特許文献２】特開平１０−２１９８７９号公報
【発明の開示】
【発明が解決しようとする課題】
【０００８】
本発明は上記の従来の問題点に鑑みて発明したものであって、外壁パネルの外面が隣接する外壁パネルの外面と上下方向にずれが生じるような場合に簡単に外面の上下方向のずれの調整ができる外壁パネルの構造を提供することを課題とするものである。
【課題を解決するための手段】
【０００９】
上記課題を解決するために本発明に係る外壁パネルの構造は、パネル本体１と、パネル本体１の外面側に取付けられる外装パネル２とで構成され、パネル本体１の外面に受け桟３を設け、該受け桟３に外装パネル２の背面に設けた下地桟４を左右方向にはスライドできないが上下方向にスライド可能に嵌め込み、下地桟４を受け桟３に対して上下方向の任意のスライド位置で固着具５により固着して成ることを特徴とするものである。
【００１０】
このような構成とすることで、隣接する外壁パネル９の外面が上下方向にずれるような場合、外装パネル２をパネル本体１に対して上下方向にスライドさせて隣接する外壁パネル９の外面と上下方向の位置合わせを行い、例えば隣接する外壁パネル９の柄模様が上下方向にずれるのを防止、特に柄模様として横目地がある場合には横目地が上下方向に段違いとなるのを防いで横方向に連続するように施工できる。そして、外装パネル２をパネル本体１に対して上下方向にスライドさせて外装パネル２の上下方向の位置調整を行う際に外装パネル２がパネル本体１に対して左右方向にはスライドしないので、外装パネル２を上下方向にスライドさせても外装パネル２が傾くことがなく上下方向の調整が簡単且つ正確にできる。
【００１１】
また、受け桟３に抜け止め用係合部６を設けると共に下地桟４に抜け止め用被係合部７を設け、抜け止め用係合部６を抜け止め用被係合部７に係合して下地桟４を受け桟３に嵌め込んだ状態で外装パネル２がパネル本体１の面外方向に抜け出るのを防止する抜け防止手段８を構成することが好ましい。
【００１２】
このような構成とすることで、パネル本体１に対して外装パネル２を上下方向にスライド自在に構成して外装パネル２の上下方向の位置調整ができるようにしたものにおいて、外装パネル２がパネル本体１の面外方向に抜け出るのを防止でき、これによりパネル本体１に対して外装パネル２を上下方向にスライドして上下方向の位置調整をする際に外装パネル２が面外方向にはずれず、簡単に上下方向にスライドして位置調整ができる。
【発明の効果】
【００１３】
本発明は、外壁パネルの外面が隣接する外壁パネルの外面と上下方向にずれが生じるような場合に簡単に外面の上下方向のずれの調整ができて、形成される外壁の外観を良くすることができる。
【発明を実施するための最良の形態】
【００１４】
以下、本発明を添付図面に示す実施形態に基いて説明する。
【００１５】
外壁パネル９としては、水平力を負担しない普通の非耐力外壁パネル９ｂと、水平力を負担する耐力外壁パネル９ａとがある。
【００１６】
添付図面に示す実施形態では、耐力外壁パネル９ａは図５乃至図６に示すようなもので、パネル本体１と、パネル本体１の外面側に取付けられる外装パネル２とで構成してある。本実施形態においてパネル本体１は、鋼材製の縦フレーム１０と、鋼材製の上下の横フレーム１１と、鋼材製の斜材フレーム１２とを枠組みすることで下端部両側の鋼材製の脚部１３と上端部両側の鋼材製の連結部１４とを枠組み一体化して構成した地震等の水平力を負担するための鋼材製の耐力フレーム１５を主体とし、この耐力フレーム１５に左右両側及び中央部に木製の縦枠１６ａ、横枠１６ｂを取着し、更に、耐力フレーム１５の内面（屋内側の面）に面板１７を取着し、外面（屋外側の面）に上下方向に長い木製の受け桟３を取着して構成してある。
【００１７】
受け桟３は縦枠１６ａの外面に沿わせて固着してあり、この受け桟３の側面の外側半部には抜け止め用係合部６となる突部が突設してあり、この突部は図６、図７に示すように複数の受け桟３のうち少なくとも一の受け桟３における突部を突設する側面と、他の一の受け桟３の突部を突設する側面とが互いに左右方向の反対側の側面となるような関係となっていて、一の受け桟３における突部の突設方向と他の一の受け桟３における突部の突設方向とが逆方向の関係となっている。
【００１８】
また、パネル本体１内には断熱材１８が内装してある。
【００１９】
外装パネル２は背面側に上下方向に長い下地桟４を複数固着して構成してある。この下地桟４は木製で、側面の外側半部には抜け止め用被係合部７となる凹部が形成してあり、この凹部は図６、図７に示すように複数の下地桟４のうち少なくとも一の下地桟４における凹部を形成する側面と、他の一の下地桟４の凹部を形成する側面とが互いに左右方向の反対側の側面となるような関係となっていて、一の下地桟４における凹部の開口方向と他の一の下地桟４における凹部の開口方向とが逆方向の関係となっている。
【００２０】
外装パネル２はパネル本体１の外面側に取付けられるものであり、図７に示すように、外装パネル２の複数の下地桟４の側面が、パネル本体１の複数の受け桟３の側面に接触して左右方向に重なるようにして嵌め込んで、上下方向にはスライド自在であるが、左右方向にはスライドできないようにしてある。この場合、抜け止め用係合部６である突部が抜け止め用被係合部７である凹部に上下方向にスライド自在に係合してあり、抜け止め用係合部６と抜け止め用被係合部７とを係合することで、外装パネル２をパネル本体１の外面側に上下方向にスライド自在で且つ左右方向にはスライドできないように取付けた状態で外装パネル２がパネル本体１から面外方向に外れないようになっている。したがって、抜け止め用係合部６と抜け止め用被係合部７とで、下地桟４を受け桟３に嵌め込んだ状態で外装パネル２がパネル本体１の面外方向に抜け出るのを防止するための抜け防止手段８が構成される。
【００２１】
上記の構成の耐力外壁パネル９ａはあらかじめ工場で組み立て、工場で左右方向に重複している受け桟３と下地桟４とを側方から釘、ビス等を打ち込んで仮止めしておく。ここでいう仮止めとは、例えば、釘、ビス等を後から抜き易いように完全に打ち込まずに浅く打ち込んだり、あるいは、本固定における打ち込み本数よりも少ない本数の釘、ビス等で仮に打ち込むことをいう。
【００２２】
普通の外壁パネルである非耐力外壁パネル９ｂはあらかじめ工場で形成されるものであり、例えば、図４に示すように木製のパネル枠１９の内面（屋内側の面）に面板１７’を取着し且つ内部に断熱材１８’を内装したパネル本体１’の外面（屋外側の面）に上下方向に長い複数の木製の下地桟４’を介して外装パネル２’を取着して構成してある。本実施形態では非耐力外壁パネル９ｂはパネル本体１’に対して外装パネル２’はスライドできないようにあらかじめ工場で本固定してある。また、木製のパネル枠１９の下面には嵌め込み用凹溝２３が形成してあり、上端部には連結金具２４が取付けてある。
【００２３】
上記耐力外壁パネル９ａの外装パネル２、非耐力外壁パネル９ｂの外装パネル２’は同じ外装材により構成してあり、外面には同じ柄模様２５が形成してある。柄模様２５としては例えば、タイル貼り調、あるいはレンガ貼り調の立体柄模様であり、縦目地、横目地２６が形成してある。
【００２４】
上記の構成の耐力外壁パネル９ａを現場で建て込むに当たっては、耐力外壁パネル９ａの下端部両側の脚部１３に設けた孔２７に基礎３３から突設したアンカーボルト２８を挿入した状態で耐力外壁パネル９ａを上方に持ち上げて耐力外壁パネル９ａの上端部の連結部１４を梁２９の下面に当接してボルト３０により連結し、その後、基礎３３の上面と耐力外壁パネル９ａの脚部１３の下面との間の隙間にスペーサ３１を差し込み、アンカーボルト２８にナット２９を螺合して基礎３３に耐力外壁パネル９ａの脚部１３を連結することで、梁２９と基礎３３とに直接連結する（図３参照）。
【００２５】
このように耐力壁パネル９ａを梁２９の下面を基準にして建て込む理由は既に説明した通りである。
【００２６】
一方、非耐力外壁パネル９ｂの建て込みに当たっては、まず基礎３３上に土台金物３２を載置して該土台金物３２の水平出しをして取付ける。この場合、基礎３３の上面のレベルは不陸となっているが、長尺の土台金物３２を基礎３３の上面に乗せ、必要に応じて土台金物３２の長手方向の一部において基礎３３の上面との間にスペーサを介在させて土台金物３２を水平出しを行うことで簡単に土台金物３２の高さ調整、水平出しができる。このように水平に施工された土台金物３２上に非耐力外壁パネル９ｂの下面の嵌め込み用凹溝２３を嵌め込むと共に非耐力外壁パネル９ｂの上端部に設けた連結金具２４を梁２９に取付ける（図４参照）。つまり、非耐力外壁パネル９ｂは基礎３３上に載設する土台金物３２を基準にして建て込むものである。
【００２７】
このように、非耐力外壁パネル９ｂは土台金物３２を基準にして建て込み、耐力外壁パネル９ａは梁２９の下面を基準として建て込むので、図２に示すように非耐力外壁パネル９ｂの外装パネル２’の外面の柄模様２５と、耐力外壁パネル９ａの外装パネル２の外面の柄模様２５とが一致せず上下方向に僅かにずれる場合がある。このような場合には、耐力外壁パネル９ａに仮止めにより取付けていた外装パネル２の仮止めを解除し、外装パネル２をパネル本体１に対して上下方向にスライドさせて耐力外壁パネル９ａの外装パネル２の外面の柄模様２５を、非耐力外壁パネル９ｂの外装パネル２’の外面の柄模様２５に上下方向に一致させ、一致した状態で釘、ビス、あるいはその他の固着手段により外装パネル２をパネル本体１に本固定する。これにより非耐力外壁パネル９ｂの外装パネル２’の外面の柄模様２５と、耐力外壁パネル９ａの外装パネル２の外面の柄模様２５とを上下方向に一致させることができ、例えば非耐力外壁パネル９ｂの外装パネル２’の外面の柄模様２５に形成した横目地２６と、耐力外壁パネル９ａの外装パネル２の外面の柄模様２５に形成した横目地２６とが段差が生じないように横方向に連続させることができる。
【００２８】
上記外装パネル２を上下方向にスライドさせて上下位置調整を行うに当たって、抜け止め用係合部６を抜け止め用被係合部７に係合して下地桟４を受け桟３に嵌め込んだ状態で外装パネル２がパネル本体１の面外方向に抜け出るのを防止しているので、パネル本体１に対して外装パネル２を上下方向にスライドして上下方向の位置調整をする際に外装パネル２が面外方向にはずれず、簡単に上下方向にスライドして位置調整ができるものである。
【００２９】
なお、上記実施形態においては、外壁パネル９として非耐力外壁パネル９ｂと、耐力外壁パネル９ａとを用い、耐力外壁パネル９ａの主体を構成するパネル本体１に対して外装パネル２を上下方向にはスライドできるが左右方向にはスライドできないように取付けて耐力外壁パネル９ａ側でパネル本体１に対する外装パネル２の上下位置調整を行えるようにした例を示したが、普通外壁パネルである非耐力外壁パネル９ｂを、主体を構成するパネル本体１’に対して外装パネル２’を上下方向にはスライドできるが左右方向にはスライドできないように取付けてもよい。この場合は図示を省略しているが非耐力外壁パネル９ｂの主体を構成するパネル本体１’の外面に受け桟を設け、該受け桟に外装パネル２の背面に設けた下地桟４’を左右方向にはスライドできないが上下方向にスライド可能に嵌め込むように構成する。このようにすると普通外壁パネルである隣接する非耐力外壁パネル９ｂ同士の外面が上下方向にずれて模様のずれが生じるような場合にも対応できる。
【図面の簡単な説明】
【００３０】
【図１】本発明の耐力外壁パネルの外装パネルの上下調整をした後の要部斜視図である。
【図２】同上の耐力外壁パネルの外装パネルの上下調整をする前の状態の要部斜視図である。
【図３】同上の耐力外壁パネルの建て込み状態の断面図である。
【図４】同上の非耐力外壁パネルの建て込み状態の断面図である。
【図５】同上の耐力外壁パネルのパネル本体の正面図である。
【図６】同上の耐力外壁パネルの分解断面図である。
【図７】同上の耐力外壁パネルの断面図である。
【符号の説明】
【００３１】
１  パネル本体
２  外装パネル
３  受け桟
４  下地桟
５  固着具
６  抜け止め用係合部
７  抜け止め用被係合部
８  抜け防止手段
【図１】
2007009652.tif 000003
【図２】
2007009652.tif 000004
【図３】
2007009652.tif 000005
【図４】
2007009652.tif 000006
【図５】
2007009652.tif 000007
【図６】
2007009652.tif 000008
【図７】
2007009652.tif 000009